(57)【要約】【課題】コラム切梁の端部を腹起しに接合された端部切梁と火打梁の各端部に切梁火打接続ピースを介して容易かつ強固に接合できる切梁火打接続構造及び切梁火打接続ピースを提供する。【解決手段】コラム切梁1の端部を腹起し6に接合された端部切梁2と火打梁3に切梁火打接続ピース4を介して接合する。切梁火打接続ピース4は端部切梁2とコラム切梁1間に設置された切梁火打接続ピース本体4aと、切梁火打接続ピース本体4aの端部切梁側及びコラム切梁側の端部にそれぞれ設けられた端部切梁接続継手4b及びコラム切梁接続継手4cと、切梁火打接続ピース本体4aの両側部に設けられた火打接続継手4dとを備えている。【選択図】図１
2018145618.tif 000002
【特許請求の範囲】
【請求項１】
コラム切梁の端部が腹起しに接合された端部切梁と火打梁に切梁火打接続ピースを介して接続されてなる切梁火打接続構造において、前記切梁火打接続ピースは前記端部切梁とコラム切梁間に設置された切梁火打接続ピース本体と、当該切梁火打接続ピース本体の前記端部切梁側およびコラム切梁側の端部にそれぞれ設けられた端部切梁接続継手およびコラム切梁接続継手と、前記切梁火打接続ピース本体の両側部に設けられた火打接続継手とを備え、前記切梁火打接続ピース本体は箱形断面形に形成され、前記切梁接続継手およびコラム切梁接続継手は前記切梁火打接続ピース本体の端部外周に鍔状に設けられ、前記火打接続継手は前記切梁火打接続ピース本体の側部に当該切梁火打接続ピース本体の側方に突出して設けられていることを特徴とする切梁火打接続構造。
【請求項２】
請求項１記載の切梁火打接続構造において、切梁火打接続ピース本体は、端部切梁およびコラム切梁と同一径、同一形状の角形鋼管より形成されていることを特徴とする切梁火打接続構造。
【請求項３】
請求項１または２記載の切梁火打接続構造において、火打接続継手は切梁火打接続ピースの軸方向に連続して形成されていることを特徴とする切梁火打接続構造。
【請求項４】
コラム切梁の端部を腹起しに接合された端部切梁と火打梁に接合するための切梁火打接続ピースにおいて、前記端部切梁とコラム切梁間に設置された切梁火打接続ピース本体と、当該切梁火打接続ピース本体の前記端部切梁側およびコラム切梁側の端部にそれぞれ設けられた端部切梁接続継手およびコラム切梁接続継手と、前記切梁火打接続ピース本体の両側部に設けられた火打接続継手とを備え、前記切梁火打接続ピース本体は箱形断面形に形成され、前記切梁接続継手およびコラム切梁接続継手は前記切梁火打接続ピース本体の端部外周に鍔状に設けられ、前記火打接続継手は前記切梁火打接続ピース本体の側部に当該切梁火打接続ピース本体の側方に突出して設けられていることを特徴とする切梁火打接続ピース。
【発明の詳細な説明】
【技術分野】
【０００１】
本発明は、コラム(角形鋼管)切梁の端部が切梁火打接続ピースを介して腹起しに接合された端部切梁と火打梁に接続されてなる切梁火打接続構造および切梁火打接続ピースに関し、コラム(角形鋼管)切梁の端部を腹起しに接合された端部切梁と火打梁に切梁火打接続ピースを介して容易にかつ強固に接合できるようにしたものである。
【背景技術】
【０００２】
山留め工事で使用される腹起しや切梁などの山留め材には、主としてＨ形鋼が使用され、状況によりコラム(角形鋼管)切梁も使用される。
【０００３】
Ｈ形鋼は、曲げに対して強軸と弱軸があり、曲げ方向によって曲げ強度に違いがあるため、補強材として火打梁や棚杭、さらには水平繋ぎ材などが併せて使用され、通常、図４に図示するように山留め壁を支える腹起し20と切梁21との接合部に火打梁22,22が設置され、各火打梁22,22の両端は切梁21と腹起し20にそれぞれボルト接合される。
【０００４】
また、図５に図示するように腹起し20の材軸方向に複数の切梁21を間隔をおいて設置し、切梁21,21間を連結梁23によって連家し、かつ各切梁のその外側に火打梁22,22をそれぞれ設置することも行われる。このように架設することにより腹起し20の火打スパンＬを大きくして山留め壁をより安定した状態に支持することができる。
【０００５】
一方、コラム(角形鋼管)切梁は、強軸・弱軸といった概念がないため、火打梁などの補強材で補強することは原則行わないが、通常、コラム切梁の端部は、図６に図示するように平面に視て三角形状に形成された火打ピース24を介して腹起し20に接合される。
【先行技術文献】
【特許文献】
【０００６】
【特許文献１】特開平04-068116号公報
【特許文献２】特開2002-081084号公報
【特許文献３】特開2015-175226号公報
【発明の概要】
【発明が解決しようとする課題】
【０００７】
しかし、Ｈ形鋼は、曲げに対して強軸と弱軸があり、曲げ方向によって曲げ強度に違いがあるため、設置に際しては方向に注意する必要がある。また、部材どうしの接合に多くの接合ボルトを必要とするため、その締付けに多大な労力を必要とする等の課題がある。
【０００８】
一方、コラム切梁は、火打スパンＬを充分に確保できないことから、コラム切梁の持つ利点を充分に活用できないという課題があった。また、必要により火打梁による補強も行われるが、Ｈ形鋼のように接合ボルトを自由に使用できないため、余り実施されていない。
【０００９】
本発明は、以上の課題を解決するためになされたもので、コラム(角形鋼管)切梁の端部を腹起しに接合された端部切梁と火打梁に切梁火打接続ピースを介して容易にかつ強固に接合できるようにした切梁火打接続構造および切梁火打接続ピースを提供することを目的とするものである。
【課題を解決するための手段】
【００１０】
本発明、コラム切梁の端部が切梁火打接続ピースを介して腹起しに接合された端部切梁と火打梁に接続されてなる切梁火打接続構造の発明であり、前記切梁火打接続ピースは前記端部切梁とコラム切梁間に設置された切梁火打接続ピース本体と、当該切梁火打接続ピース本体の前記端部切梁側およびコラム切梁側の端部にそれぞれ設けられた端部切梁接続継手およびコラム切梁接続継手と、前記切梁火打接続ピース本体の両側部に設けられた火打接続継手とを備え、前記切梁火打接続ピース本体は箱形断面形に形成され、前記切梁接続継手およびコラム切梁接続継手は前記切梁火打接続ピース本体の端部外周に鍔状に設けられ、前記火打接続継手は前記切梁火打接続ピース本体の側部に当該切梁火打接続ピース本体の側方に突出する鍔状に設けられていることを特徴とするものである。
【００１１】
切梁火打接続ピース本体は、端部切梁およびコラム切梁と同一径、同一形状の角形鋼管より形成することができ、また、コラム切梁および端部切梁より大きい径の角形鋼管より形成することで強度を高めることができる。
【００１２】
端部切梁接続継手とコラム切梁接続継手は、切梁火打接続ピース本体の端部にプレートを切梁火打接続ピース本体の軸直角方向に鍔状に突出させて取り付ける等の方法により設けることができ、必要に応じて切梁火打接続ピース本体の周方向に連続して設けてもよい。
【００１３】
火打接続継手は、切梁火打接続ピース本体の上下両端面に、帯状プレート(長尺プーレト)を当該帯状プレートの縁端部を切梁火打接続ピース本体の側面より軸直角方向に鍔状に突出させた状態に取り付ける等の方法により設けることができ、また切梁火打接続ピース本体の軸方向に連続して設けることにより、火打梁(火打接続ピース)のサイズにも自由に対応することができる。なお、各接続継手には予めボルト孔が設けてある。
【発明の効果】
【００１４】
本発明においては、切梁火打接続ピースの接続ピース本体のコラム切梁側と端部切梁の端部に、それぞれコラム切梁接続継手と端部切梁接続継手が設けられ、これらの接続継手は接続ピース本体の軸直角方向に鍔状に突出し、かつ接続ピース本体の周方向に連続して設けられている。
【００１５】
また、コラム切梁と端部切梁の端部には、接続継手がそれぞれコラム切梁と端部切梁の軸直角方向に鍔状に突出し、かつ各切梁の周方向に連続して設けられている。
【００１６】
さらに、切梁火打接続ピース本体の両側部に火打接続継手が設けられ、当該火打接続継手は接続ピース本体の側部に当該接続ピース本体の側方に突出する鍔状に形成されている。
【００１７】
以上の構成により、本発明によれば、コラム(角形鋼管)切梁の端部を腹起しに接合された端部切梁と火打梁に切梁火打接続ピースを介して容易にかつ強固に接合できる。
【００１８】
すなわち、切梁火打接続ピースの接続ピース本体、端部切梁、およびコラム切梁に設けられた各接続継手が上記のように設けられていることにより、接合プレートを省略し、複数の接合ボルトのみでコラム(角形鋼管)切梁の端部を腹起しに接合された端部切梁と火打梁に切梁火打接続ピースを介して容易にかつ強固に接合でき、また、接合ボルトの本数を低減することができる。
【図面の簡単な説明】
【００１９】
【図１】切梁火打接続ピースおよび当該切梁火打接続ピースを介して接合されたコラム切梁と端部切梁および火打梁を示し、図１(a)は平面図、図１(b)は図１におけるイ−イ線矢視図である。
【図２】切梁火打接続ピースの斜視図である。
【図３】本発明の他の実施形態を図示したものであり、図３(a)は切梁火打接続ピースおよび当該切梁火打接続ピースによって接合されたコラム切梁と端部切梁および火打梁の平面図、図３(b)は図３(a)におけるロ−ロ線矢視図である。
【図４】切梁と火打梁の従来の設置方法を示す平面図である。
【図５】切梁と火打梁の従来の設置方法を示す平面図である。
【図６】コラム切梁の従来の設置方法を示す平面図である。
【発明を実施するための形態】
【００２０】
図１(a),(b)と図２は、本発明の一実施形態を図示したものであり、図において、コラム切梁１の端部に端部切梁２と左右火打梁3,3が切梁火打接続ピース４を介し、複数の接合ボルト５によってそれぞれボルト接合されている。端部切梁２と左右火打梁3,3の腹起し６側の端部は、それぞれ腹起し６の側部に長さ調整材７、火打受けピース８を介し複数の接合ボルト５によってボルト接合されている。
【００２１】
コラム切梁１は角形鋼管より形成され、当該コラム切梁１の端部外周に接続継手1aがコラム切梁１の周方向に鍔状に連続して形成されている。
【００２２】
端部切梁２はコラム切梁１と同一径、同一断面形状の角形鋼管より形成され、当該端部切梁２の切梁火打接続ピース４側の端部に接続継手2aが端部切梁２の周方向に鍔状に連続して形成されている。また、火打梁３はＨ形鋼より形成され、当該火打梁３のコラム切梁１側の端部は切梁火打接続ピース４の側部に火打接続ピース９を介し、複数の接合ボルト５によってボルト接合されている。
【００２３】
切梁火打接続ピース４は、コラム切梁１および端部切梁２と同一径、同一断面形状の角形鋼管からなる接続ピース本体(以下「接続ピース本体」)4aと当該接続ピース本体4aのコラム切梁１側の端部と端部切梁２側の端部にそれぞれ形成されたコラム切梁接続継手4bと端部切梁接続継手4cを備えている。また、火打接続ピース９と対向する両側部に火打接続継手4d,4dを備えている。
【００２４】
コラム切梁接続継手4bと端部切梁接続継手4cは、接続ピース本体4aの端部に当該接続ピース本体4aの周方向に鍔状に連続して形成されている。
【００２５】
また、火打接続継手4d,4dは、接続ピース本体4aの両側部の上下両端部に接続ピース本体4aの軸直角方向にほぼ水平に突出し、かつ接続ピース本体4aの軸方向に連続して形成されている。
【００２６】
なお、火打接続継手4d,4dは、接続ピース本体4aの上下両端面に帯状プレートを当該帯状プレートの縁端部を接続ピース本体4aの側部に所定長突出させた状態で溶接固着するなどの方法によって形成されている(図２参照)。
【００２７】
そして、コラム切梁接続継手4bとコラム切梁１の接続継手1a、端部切梁接続継手4bと端部切梁２の接続継手2aとをそれぞれ互いに突き合わせ、かつ複数の接合ボルト５によってボルト締結することによりコラム切梁１と端部切梁２がコラム切梁接続ピース４を介して互いに接合されている。
【００２８】
また、左右火打接続ピース9,9の端部をそれぞれ上下火打接続継手4d,4d間にそれぞれ挿入すると共に、上下火打接続継手4d,4dと火打接続ピース９とを複数の接合ボルト５によってボルト締結することにより左右火打梁3,3が切梁火打接続ピース４を介して互いに接合され、また左右火打梁3,3とコラム切梁１および端部切梁２が切梁火打接続ピース４を介してボルト接合されている。
【００２９】
これらの山留め材の架設に際しては、最初に端部切梁２と左右火打梁3,3と切梁火打接続ピース４を地上で地組みする。次に地組みされ端部切梁２、左右火打梁3,3および切梁火打接続ピース４を重機で吊り上げる。次に、端部切梁２および左右火打梁3,3の腹起し６側を腹起し５の側部にそれぞれ長さ調整材７と火打受けピース８を介してボルト接合する。そして、コラム切梁１の端部を切梁火打接続ピース４に接合する。
【００３０】
このように架設することで、コラム(角形鋼管)切梁１の端部を腹起し６に接合された端部切梁２と火打梁3,3に切梁火打接続ピース４を介して容易にかつ強固に接合できる。
【００３１】
図３(a),(b)は、本発明の他の実施形態であり、山留め壁を支持する腹起し６をより長い火打スパンＬによって支持できるように構成された切梁火打接合構造を図示したものである。
【００３２】
説明すると、腹起し６の材軸方向に間隔をおいて架設された各切梁1,1の端部に、それぞれ端部切梁２と火打梁３が切梁火打接続ピース４を介し、複数の接合ボルト５によってボルト接合されている。
【００３３】
火打梁３は各端部切梁２の外側に架設されている。また、隣接する切梁火打接続ピース4,4間に連結板10が設置され、当該連結板10を介して隣接するコラム切梁1,1どうしがボルト接合されている。
【００３４】
また、連結板10は、切梁火打接続ピース4,4間に上下二段に設置され、各連結板10の両端部は切梁火打接続ピース４の火打接続継手4d,4dに複数の接合ボルト５によってボルト接合されている。その他の構成は、図１，２の実施形態で説明した構成とほぼ同じである。
【００３５】
この実施形態によれば、火打スパンＬを図１の実施形態より長くすることができて、山留め壁を支える腹起し６をより安定した状態で支持することができる。また、コラム切梁１を３本以上に増やすことにより火打スパンＬをさらに長くすることができる。
【産業上の利用可能性】
【００３６】
本発明は、コラム(角形鋼管)切梁の端部を腹起しに接合された端部切梁と火打梁の各端部に切梁火打接続ピースを介して容易にかつ強固に接合することができる。
【符号の説明】
【００３７】
１  コラム切梁
２  端部切梁
３  火打梁
４  切梁火打接続ピース
4a  接続ピース本体(切梁火打接続ピース本体)
4b  端部切梁接続継手
4c  コラム切梁接続継手
4d  火打接続継手
５  接合ボルト
６  腹起し
７  長さ調整材
８  火打受けピース
９  火打接続ピース
10  連結板
【図１】
2018145618.tif 000003
【図２】
2018145618.tif 000004
【図３】
2018145618.tif 000005
【図４】
2018145618.tif 000006
【図５】
2018145618.tif 000007
【図６】
2018145618.tif 000008